(57)【要約】      （修正有）【課題】各キャップに光線を個別的に提供できる場合には、各ボタンユニットの輝度が均一とならない問題を解決できるという集光式発光キーボードを提供する。【解決手段】押圧されると押圧方向に沿って変位する複数の押圧具１１と、それぞれ押圧具１１に応じて配され、押圧具１１を押圧方向に沿って往復動可能な複数の弾性支持具１３とを備える。さらに、弾性支持具１３が押圧具１１に押圧されると、それに対応する指令信号が触発されて発生し、各弾性支持具１３の位置に対応する反射区域１４１を有する回路板１４と、を備えるキーボード部１０と、押圧具１１と回路板１４の間にある導光セクションに設けられて光線を発生し、導光セクションに伝導される光線は、回路板１４の反射区域１４１に反射されて、弾性支持具１３を経由して押圧具１１に入射する少なくとも一つの発光部２０と、を含む。【選択図】図１
0003175672.tif 000002
【実用新案登録請求の範囲】
【請求項１】
押圧されると押圧方向に沿って変位する複数の押圧具（１１）と、それぞれ前記押圧具（１１）に応じて配され、前記押圧具（１１）を前記押圧方向に沿って往復動可能な複数の弾性支持具（１３）と、前記弾性支持具（１３）が前記押圧具（１１）に押圧されると、それに対応する指令信号が触発されて発生し、各前記弾性支持具（１３）の位置に対応する反射区域（１４１）を有する回路板（１４）と、を備えるキーボード部（１０）と、
前記押圧具（１１）と前記回路板（１４）の間にある導光セクション（Ｒ）に設けられて光線を発生し、前記導光セクション（Ｒ）に伝導される光線は、前記回路板（１４）の前記反射区域（１４１）に反射されて、前記弾性支持具（１３）を経由して前記押圧具（１１）に入射して、前記押圧具（１１）の輝度を増加できる少なくとも一つの発光部（２０）と、
を含むことを特徴とする集光式発光キーボード。
【請求項２】
前記反射区域（１４１）は前記回路板（１４）の上面を完全にカバーすることを特徴とする、請求項１に記載の集光式発光キーボード。
【請求項３】
前記回路板（１４）は、第１回路電極層（１４２）と、第２回路電極層（１４３）と、前記第１回路電極層（１４２）と前記第２回路電極層（１４３）の間に設けられる絶縁間隔層（１４４）と、を含むことを特徴とする、請求項１に記載の集光式発光キーボード。
【請求項４】
前記反射区域（１４１）は前記第１回路電極層（１４２）に設けられることを特徴とする、請求項３に記載の集光式発光キーボード。
【請求項５】
前記反射区域（１４１）は前記絶縁間隔層（１４４）に設けられることを特徴とする、請求項３に記載の集光式発光キーボード。
【請求項６】
前記反射区域（１４１）は前記第２回路電極層（１４３）に設けられることを特徴とする、請求項３に記載の集光式発光キーボード。
【考案の詳細な説明】
【技術分野】
【０００１】
本考案は、発光キーボードに関し、特に、集光式発光キーボードに関するものである。
【背景技術】
【０００２】
コンピュータ（例えばデスクトップパーソナルコンピュータ、ノートブックパーソナルコンピュータやインターネットテレビなど）は、広汎に国民に利用されて資料や情報などを処理する。ユーザは、キーボードにより資料や指令をコンピュータに入力する。より暗い環境において、ユーザがキーボードの符号をはっきり識別でき、資料や指令を正確に入力できるようにするために、発光キーボードが開発された。従来の発光キーボードは、例えば特許文献１の米国特許第６，２８４，９８８号明細書、特許文献２の米国特許第６，３２２，２２９号明細書、特許文献３の米国特許第６，１９９，９９６号明細書、特許文献４の米国特許第６，５５４，４４２号明細書、特許文献５の米国特許第６，１７９，４３２号明細書及び特許文献６の米国特許第６，９８７，４６６号明細書が提案された。これらは、内蔵式の発光片によって光線を発生することにより、キーボードを発光する。
【０００３】
しかし、上記の発光キーボードは、キャップ、弾性体及び連動手段が透光可能な材料で作製されることにより、発光子の全面が光線を射出するときには、キーボードの上面の輝度が均一となる。発光キーボードは、飛行機や車両などのより暗い環境で利用されるため、キーボードの上面が全面的に発光すると、キーボードの輝度が強すぎて、他人に迷惑をかける。そして隣接するキャップ同士から射出する光線が互いに干渉するため、ユーザはキーボードでの符号をはっきり識別できず、ひいては資料や指令を正確に入力できない。
【０００４】
各キャップに光線を個別的に提供するために、特許文献７の米国特許第７，６２８，５００号明細書、特許文献８の米国特許第７，５８８，３３８号明細書、特許文献９の米国特許第７，１５４，０５９号明細書及び特許文献１０の米国特許出願公開第２０１１０１６８５３８号明細書が提案された。これらの発光キーボードによれば、より暗い環境において、ユーザはキーボードでの符号をはっきり識別できて、資料や指令を正確に入力できる。しかし、このような発光キーボードによれば、各キャップに光線を個別的に提供できるが、単一のボタンユニットに入射する光線は、キャップだけに入射せず、一部の光線が回路板や受け板へ入射するため、各ボタンユニットの輝度が均一とならない。
【先行技術文献】
【特許文献】
【０００５】
【特許文献１】米国特許第６，２８４，９８８号明細書
【特許文献２】米国特許第６，３２２，２２９号明細書
【特許文献３】米国特許第６，１９９，９９６号明細書
【特許文献４】米国特許第６，５５４，４４２号明細書
【特許文献５】米国特許第６，１７９，４３２号明細書
【特許文献６】米国特許第６，９８７，４６６号明細書
【特許文献７】米国特許第７，６２８，５００号明細書
【特許文献８】米国特許第７，５８８，３３８号明細書
【特許文献９】米国特許第７，１５４，０５９号明細書
【特許文献１０】米国特許出願公開第２０１１０１６８５３８号明細書
【考案の概要】
【考案が解決しようとする課題】
【０００６】
本考案の主な目的は、各キャップに光線を個別的に提供できる場合には、単一のボタンユニットに入射する光線は、キャップだけに入射せず、一部の光線が回路板や受け板へ入射するため、各ボタンユニットの輝度が均一とならない問題を解決できるという集光式発光キーボードを提供することにある。
【課題を解決するための手段】
【０００７】
本考案の集光式発光キーボードによると、押圧されると押圧方向に沿って変位する複数の押圧具１１と、それぞれ押圧具１１に応じて配され、押圧具１１を押圧方向に沿って往復動可能な複数の弾性支持具１３と、弾性支持具１３が押圧具１１に押圧されると、それに対応する指令信号が触発されて発生し、各弾性支持具１３の位置に対応する反射区域１４１を有する回路板１４と、を備えるキーボード部１０と、押圧具１１と回路板１４の間にある導光セクションＲに設けられて光線を発生し、導光セクションＲに伝導される光線は、回路板１４の反射区域１４１に反射されて、弾性支持具１３を経由して押圧具１１に入射して、押圧具１１の輝度を増加できる少なくとも一つの発光部２０と、を含むことを特徴とする。
【０００８】
本考案の集光式発光キーボードによると、反射区域１４１は回路板１４の上面を完全にカバーすることを特徴とする。
【０００９】
本考案の集光式発光キーボードによると、回路板１４は、第１回路電極層１４２と、第２回路電極層１４３と、第１回路電極層１４２と第２回路電極層１４３の間に設けられる絶縁間隔層１４４と、を含むことを特徴とする。
【００１０】
本考案の集光式発光キーボードによると、反射区域１４１は第１回路電極層１４２に設けられることを特徴とする。
【００１１】
本考案の集光式発光キーボードによると、反射区域１４１は絶縁間隔層１４４に設けられることを特徴とする。
【００１２】
本考案の集光式発光キーボードによると、反射区域１４１は第２回路電極層１４３に設けられることを特徴とする。
【考案の効果】
【００１３】
本考案の集光式発光キーボードによれば、各キャップに光線を個別的に提供できる場合には、単一のボタンユニットに入射する光線は、キャップだけに入射せず、一部の光線が回路板や受け板へ入射するため、各ボタンユニットの輝度が均一とならない問題を解決できるという効果を有する。
【図面の簡単な説明】
【００１４】
【図１】本考案の実施例１の一部のキーボードの構成を示す分解斜視図である。
【図２】本考案の実施例１のキーボードの構成を示す分解斜視図である。
【図３】本考案の実施例１の構成を示す断面図である。
【図４】本考案の実施例２のキーボードの構成を示す断面図である。
【考案を実施するための形態】
【００１５】
以下、本考案の実施の形態を図面に基づいて説明する。
まず、図１乃至図３を参照する。図１は実施例１の一部のキーボードの構成を示す分解斜視図であり、図２は実施例１のキーボードの構成を示す分解斜視図であり、図３は実施例１の構成を示す断面図である。本実施例の集光式発光キーボードは、キーボード部１０と、少なくとも一つの発光部２０と、キーボード部１０及び発光部２０を支持する基板３０と、を含む。キーボード部１０は、押圧されると押圧方向に沿って変位する複数の押圧具１１と、押圧具１１と基板３０とをそれぞれ連接する複数の連動手段１２と、それぞれ押圧具１１に応じて連動手段１２に配され、押圧具１１を押圧方向に沿って往復動可能な複数の弾性支持具１３と、いずれかの弾性支持具１３が押圧具１１に押圧されると、それに対応する指令信号が触発されて発生する回路板１４と、を備える。弾性支持具１３は、押圧変形部１３１と、押圧変形部１３１の周囲に設けられて押圧変形部１３１を受ける受け部１３２と、を含む。本実施例では、連動手段１２及び弾性支持具１３が透光可能な材料で作製されたものである。
【００１６】
回路板１４は、各弾性支持具１３の位置に対応する反射区域１４１を有する。本実施例の回路板１４は、軟性な樹脂フィルムスイッチであり、第１回路電極層１４２と、第２回路電極層１４３と、第１回路電極層１４２と第２回路電極層１４３の間に設けられる絶縁間隔層１４４と、を含む。第１回路電極層１４２及び第２回路電極層１４３が押圧されないときには、絶縁間隔層１４４により第１回路電極層１４２及び第２回路電極層１４３との間には一定の間隔を有するため、互いに接触しない。ユーザが押圧具１１を押圧すると、弾性支持具１３が変形して第１回路電極層１４２を圧迫することにより、第１回路電極層１４２が第２回路電極層１４３と接触して、それに対応する指令信号が発生する。反射区域１４１は、第１回路電極層１４２に設けられてもいいし、第２回路電極層１４３に設けられてもいいし、絶縁間隔層１４４に設けられてもよい。
【００１７】
発光部２０は、押圧具１１と回路板１４の間にある導光セクションＲに設けられて光線を発生する。本実施例では、発光部２０が柱状を呈する発光体であり、前記発光体の断面形状は、円形でもいいし、矩形でもいいし、三角形でもよい。発光部２０は、透光不能区域２１と、透光不能区域２１に接して位置する少なくとも一つの透光区域２２と、を含む。個別の押圧具１１に光線を提供できるようにするために、発光部２０の透光区域２２は、弾性支持具１３に対応する位置に設けられる。これにより、発光部２０からの光線は、透光不能区域２１内に伝送されて、透光区域２２だけから弾性支持具１３に射出する。発光部２０は、自己発光できる装置でもいいし、本実施例のように、導光材２３と導光材２３に光線を射出する発光子２４を組合せて構成される装置でもよい。発光子２４は、発光ダイオード又はそれに類似するものである。図３の矢印は発光部２０からの光線の伝導及び反射の経路を示すものであるが、図３に示すように、発光部２０からの光線は、導光セクションＲにおける弾性支持具１３に伝導されて、前記光線の一部が弾性支持具１３を透過して押圧具１１に到達し、前記光線の残りが弾性支持具１３に対向する回路板１４の反射区域１４１に反射されて、弾性支持具１３を透過して押圧具１１に到達する。このように、押圧具１１の輝度を増加することができる。
【００１８】
図４は、本考案の実施例２のキーボードの構成を示す断面図である。図４に示すように、反射区域１４１は、回路板１４での各弾性支持具１３に対応する位置に設けられる他、回路板１４の上面を全面的にカバーしてもよい。このように、発光部２０からの光線は、導光セクションＲに伝導され、回路板１４を透過しないため、回路板１４のキーボード部１０に対向する側だけへ射出でき、ひいては前記光線が弾性支持具１３に反射して、弾性支持具１３の上方に設けられる押圧具１１の輝度を増加することができる。
【００１９】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２０】
本考案は、キーボードに適用することができる。
【符号の説明】
【００２１】
１０  キーボード部
１１  押圧具
１２  連動手段
１３  弾性支持具
１４  回路板
２０  発光部
２１  透光不能区域
２２  透光区域
２３  導光材
２４  発光子
３０  基板
１３１  押圧変形部
１３２  受け部
１４１  反射区域
１４１ａ  反射区域
１４２  第１回路電極層
１４３  第２回路電極層
１４４  絶縁間隔層
Ｒ  導光セクション
【図１】
0003175672.tif 000003
【図２】
0003175672.tif 000004
【図３】
0003175672.tif 000005
【図４】
0003175672.tif 000006